(57)【要約】【課題】無人駅に設置される証明書発行機からの証明書（乗車駅証明書）が一人の利用者に複数枚渡るのを防止する。【解決手段】所定の釦が押下されたときに所定の証明書を発行する証明書発行機において、前記所定の釦を押下した利用者を撮像する撮像手段と、撮像されたデータと過去に撮像されて記憶されているデータとを照合する照合手段と、照合一致が得られたときに前記証明書の発行を禁止し、照合一致が得られないときにその証明書の発行を行う発行制御手段とを有する。【選択図】      図３
2005004674.tif 000002
【特許請求の範囲】
【請求項１】
所定の釦が押下されたときに所定の証明書を発行する証明書発行機において、
前記所定の釦を押下した利用者を撮像する撮像手段と、
撮像されたデータと過去に撮像されて記憶されているデータとを照合する照合手段と、
照合一致が得られたときに前記証明書の発行を禁止し、照合一致が得られないときにその証明書の発行を行う発行制御手段と、
を有することを特徴とする証明書発行機。
【請求項２】
請求項１に記載の証明書発行機において、所定の証明書は、利用者が所定の駅から列車に乗車したことを証明する乗車駅証明書であることを特徴とする証明書発行機。
【請求項３】
請求項１又は２に記載の証明書発行機において、撮像されたデータの記憶は、撮像時から所定時間行われることを特徴とする証明書発行機。
【請求項４】
請求項１〜３のいずれかに記載の証明書発行機において、証明書の発行が禁止されたときにその禁止の理由を案内する案内手段を設けたことを特徴とする証明書発行機。
【発明の詳細な説明】
【０００１】
【発明の属する技術分野】
本発明は、証明書発行機に係り、特に、無人駅から列車に乗車したことを証明する乗車駅証明書を効率よく発行できるようにしたものに関する。
【０００２】
【従来の技術】
従来、駅員の常駐していない無人駅には、その無人駅から列車（電車）に乗車したことを示す乗車駅証明書を発行することのできる証明書発行機が設置されている。この証明書発行機は、証明書発行機の本体の接客パネルに設けられている釦が利用者（旅客）により押下されると、乗車駅名の印字されている乗車駅証明書が発行されるように構成されている。この証明書発行機から発行された乗車駅証明書は、利用者が下車駅で精算処理するときの精算原券として用いられる。
【０００３】
上記証明書発行機は、自動券売機のように、金銭処理ユニットを有していないので、無人駅でも安全であるという特長がある。
【０００４】
【発明が解決しようとする課題】
しかしながら、上記従来の証明書発行機は、釦が押下されると無条件に発行されるので、同一人に複数枚発行されることがあり、余分に発行された乗車駅証明書が、その駅よりも遠くから乗車してきた他人に渡って不正使用されるおそれがあった。
【０００５】
そこで、本発明は、上記欠点を解決するためになされたものであって、その目的は、証明書の不正使用を防止することのできる証明書発行機を提供することにある。
【０００６】
【課題を解決するための手段】
本発明に係る証明書発行機は、上記目的を達成するために、請求項１に記載の発明は、所定の釦が押下されたときに所定の証明書を発行する証明書発行機において、前記所定の釦を押下した利用者を撮像する撮像手段と、撮像されたデータと過去に撮像されて記憶されているデータとを照合する照合手段と、照合一致が得られたときに前記証明書の発行を禁止し、照合一致が得られないときにその証明書の発行を行う発行制御手段と、を有することを特徴としている。
本発明の請求項２に記載の証明書発行機は、所定の証明書は、利用者が所定の駅から列車に乗車したことを証明する乗車駅証明書であることを特徴としている。
本発明の請求項３に記載の証明書発行機は、撮像されたデータの記憶は、撮像時から所定時間行われることを特徴としている。
本発明の請求項４に記載の証明書発行機は、証明書の発行が禁止されたときにその禁止の理由を案内する案内手段を設けたことを特徴としている。
【０００７】
【発明の実施の形態】
以下、本発明の実施の形態を図面に基づいて説明する。図１は、一実施の形態に係る証明書発行機の概略構成を示す断面図であり、その証明書発行機の本体（以下、「発行機本体」という。）ａは、その接客面１に、従来の証明書発行機と同様の釦２が設けられているとともに、乗車駅証明書（図示せず）の発券口３が設けられている。
【０００８】
発券口３の発行機本体ａの内側には、周知の乗車駅証明書を発行するための発券ユニット４が設けられている。この発券ユニット４としては、券面に乗車駅が印字され、裏面が白紙の白紙券発行方式のもの、又は、その裏面に乗車駅等の所定の磁気データの記録されている磁気券発行方式のもの等が存在する。乗車駅証明書が磁気券の場合は、下車駅で自動精算機を用いて精算処理することができる。なお、上記釦２は、機械式のいわゆる押釦形とすることもできる他に、利用者がタッチしたことを電気的に検出するソフト形とすることもできる。
【０００９】
図１中、５は、接客面１に設けられた、本発明の案内手段を構成するスピーカであり、利用者イに対して音声により所定の案内ができるように構成されている。また、６は、本発明の撮像手段を構成するカメラであり、周知のＣＣＤカメラ等から構成され、釦２を押下する利用者イを撮像できるように構成されている。このカメラ６による利用者イの撮像範囲は、少なくとも利用者イの顔面で、好ましくは、利用者イの上半身である。いずれにしても、カメラ６で撮像したデータを画像解析処理したときに利用者イを特定できるデータを収集できる範囲であればよい。
【００１０】
図１中、７は、発行機本体ａを統括的に制御する制御器であり、図２には、そのブロック図が示されている。この制御器７は、メモリ１０に記憶されているシステムプログラムデータ及びワーキングデータを基に演算処理する中央処理部（ＣＰＵ）１１を有している。
【００１１】
このＣＰＵ１１は、Ｉ／Ｏユニット１２を介してカメラ６を用いて撮像したデータを画像解析処理することのできる画像処理ユニット１３と、スピーカ５を駆動制御する音声ドライバ１４と、上記発券ユニット４と、釦２の入力信号を処理する釦入力ドライバ１５とが接続されている。なお、Ｉ／Ｏユニット１２には、係員によって各種設定を行うための係員処理ユニット等も接続されているが、ここでは省略されている。
【００１２】
以下、図３のフローチャートを用いて制御動作について説明する。今、利用者イが発行機本体ａから乗車駅証明書の発行を受けてその発行機本体ａの設置駅から列車に乗車しようとしているものとする。そして、利用者イが発行機本体ａの接客面１の前に立ち（図１参照）、その利用者イによりその接客面１に設けられている釦２が押下されると（ステップ１００肯定。以下、ステップを「Ｓ」とする。）、カメラ６を介して利用者イが撮像される（Ｓ１０２）。なお、図３のフローチャートでは省略されているが、利用者イが接客面１の前面の所定の位置に立っていないことなどにより、この利用者イを正常に撮像できないときは、カメラ６による撮像が正常にできるまで繰返されるとともに、スピーカ５を介して正常位置に立つように等の案内が行われる。
【００１３】
カメラ６で撮像されたデータは、画像処理ユニット１３で画像解析処理される。この画像解析処理は、周知の画像処理と同様に、画像データの濃淡を数値化し、利用者イを特定できるデータに生成され、メモリ１０に記憶される。このメモリ１０には、今回のカメラ６を用いた撮像時前の所定時間、例えば３０分間の間にカメラ６を用いて撮像されたデータが記憶されているので、その記憶されているデータと今回の撮像によるデータとが照合処理される（Ｓ１０４）。この照合処理において不一致と判定されたときは（Ｓ１０６否定）、利用者イの撮像は上記の所定時間内に行われていないことを意味しているので、つまり、利用者イは、その所定時間内に乗車駅証明書の発行を受けていないことを意味しているので、発券ユニット４から１枚の乗車駅証明書が発券口３に排出される（Ｓ１０８）。したがって、利用者イは、発券口３に排出された乗車駅証明書を用いて列車に乗車し、下車駅でその乗車駅証明書を用いて精算することができる。
【００１４】
ところで、上述の照合処理の結果、照合一致が得られたときは（Ｓ１０６肯定）、利用者イは、上述の所定時間以内に既に乗車駅証明書の発行を受けていることを意味しているので、この場合は、スピーカ５を介して既に利用者イに対して乗車駅証明書を発行しているので再度の発行ができない旨が案内される（Ｓ１１０）。したがって、一人の利用者（上述の例では、利用者イ）には、１枚の乗車駅証明書しか発行されないので、乗車駅証明書の不正使用を未然に防止することができる。
【００１５】
なお、上述の例では、メモリ１０に記憶される撮像データの記憶時間は、所定の一定時間としたが、発行機本体ａの設置駅の列車の運行状態に合わせるようにしてもよい。すなわち、発行機本体ａの設置駅からの列車出発により、メモリ１０に記憶されているデータをクリアするようにしてもよい。
【００１６】
また、上述の例では、証明書を乗車駅証明書としたが、本人がその場所に出向くことを条件に何らかの特典を得るための特別な証明書であってもよい。
【００１７】
【発明の効果】
本発明の請求項１に記載の証明書発行機は、所定の釦を押下した利用者を撮像する撮像手段と、撮像されたデータと過去に撮像されて記憶されているデータとを照合する照合手段と、照合一致が得られたときに証明書の発行を禁止し、照合一致が得られないときにその証明書の発行を行う発行制御手段とを有するので、一人の利用者が複数枚の証明書の発行を受けるという不都合を解消することができる。
本発明の請求項２に記載の証明書発行機は、所定の証明書は、利用者が所定の駅から列車に乗車したことを証明する乗車駅証明書であるので、乗車駅証明書が一人の利用者に複数枚発行されるのを効果的に防止することができる。
本発明の請求項３に記載の証明書発行機は、撮像されたデータの記憶は、撮像時から所定時間行われるので、メモリ容量を小さくすることができる。
本発明の請求項４に記載の証明書発行機は、証明書の発行が禁止されたときにその禁止の理由を案内する案内手段を設けたので、利用者の利便性を高めることができる。
【図面の簡単な説明】
【図１】本発明の一実施の形態に係る発行機本体の概略構成を示す断面図である。
【図２】制御器のブロック図である。
【図３】制御動作を示すフローチャートである。
【符号の説明】
ａ  証明書発行機の本体（発行機本体）
１  接客面
２  釦
３  発券口
４  発券ユニット
５  スピーカ
６  カメラ
７  制御器
【図１】
2005004674.tif 000003
【図２】
2005004674.tif 000004
【図３】
2005004674.tif 000005